(57)【特許請求の範囲】
【請求項１】
前側に配する弾頭と後側に配するケースとを螺合して構成するカートリッジ内に火薬を収納し、該火薬でカートリッジを後方に移動して玩具銃にブローバックを発生させる玩具銃のカートリッジにおいて、ケース内に導火孔を備えた導火栓を設け、着火用の着火火薬体を導火栓より後方に収納し、ブローバックを発生させるブローバック火薬体を導火栓より前方に収納し、着火火薬体を撃針の打撃で発火させると、該着火火薬体の発火が導火栓の導火孔を通してブローバック火薬体を発火させるように構成したことを特徴とする玩具銃のカートリッジ。
【請求項２】
前記着火火薬体及び前記ブローバック火薬体は、軟質樹脂製の容器内に火薬が収納されたキャップ火薬を使用し、前記着火火薬体の容器を抵抗少なくすると共に、前記ブローバック火薬体の容器はガス漏れが少ないように密着させた請求項１記載の玩具銃のカートリッジ。
【請求項３】
前記弾頭内部を前後にスライド移動するプラグを設け、該プラグに前記火薬から発生した煙を排出する排出孔を形成し、前記玩具銃の銃身内に設けた前撃針の後端部を前記弾頭の先端に設けた排出孔から内部に挿入すると共に、該前撃針でブローバック火薬体側に押し下げられたプラグの排出孔を前撃針の後端部で密封し、前記ブローバック火薬体の発火で前記カートリッジがブローバックすると前撃針からプラグが離れるように構成した請求項１又は２記載の玩具銃のカートリッジ。
【請求項４】
前記ブローバック火薬体は、前記導火栓と前記プラグとの間に装着され、前記導火栓側に火薬が配置され、前記プラグ側に容器が配置された請求項２記載の玩具銃のカートリッジ。
【発明の詳細な説明】
【技術分野】
【０００１】
本発明は、小さな打撃力で発火させることができ、大きな発砲音やブローバックを楽しむことが可能な玩具銃のカートリッジに関するものである。
【背景技術】
【０００２】
大きな音と多量の煙を発生させることができるモデルガンのカートリッジが特許文献１に記載されている。このカートリッジは、カートリッジの内部に火薬を収納し、この火薬の爆発により、擬似的な発砲音と多量の煙を発生させるように構成されている。
【０００３】
また、モデルガンでBB弾の発射を可能にすると共に、発射時にブローバックを与えるカートリッジの構造が特許文献２に記載されている。このカートリッジ内には、カートリッジを後方に飛ばすキャップ火薬と、BB弾を前方に飛ばすキャップ火薬とが前後に分けて収納されており、撃針で打撃するとこれら二つの火薬が同時に爆発してBB弾を発射させると共に、カートリッジを後方に移動させて実銃のようなブローバックを与えるというものである。
【先行技術文献】
【特許文献】
【０００４】
【特許文献１】実公昭６２-４２３１８号公報
【特許文献２】実用新案登録第２５３６３２１号公報
【発明の概要】
【発明が解決しようとする課題】
【０００５】
発砲音とブローバックを楽しむモデルガンでは、カートリッジに収納する火薬の量によって発火音の音量やブローバックの強弱が決定する。すなわち、火薬の量が多くなるほど音量やブローバックが大きくなるものである。
【０００６】
ところで、キャップ火薬の量は分量が決められているためにそのままでは量を増やすことが出来ない。よってキャップ火薬の数を増すことになる。ところが、キャップ火薬の数が多くなると、キャップ火薬を動かす抵抗が多くなり、発火させるための打撃力を大きくする傾向にある。従って、モデルガンのブローバックを大きくするには、打撃力はより必要な関係となる。しかしながら、打撃力を大きくすることはモデルガン本体の負担が増えることになる。これは、打撃力に使われるスプリングの力を大きくすることによる強度の向上、操作性の悪化となる結果を招く。従来の製品はその調整が困難であった。
【０００７】
例えば、特許文献２のように、同じ円筒内にキャップ火薬を前後に配置した場合、二つを同時に発火させることになる。これはキャップ火薬の抵抗が二倍となり、撃針の打撃力も増大させる必要がある。これは同じ円筒に配置する事で絶対的な密閉性を必要とする内径寸法となり、打撃力を大きくすることにつながる。このことはカートリッジの製造において精密な寸法を要求され、モデルガン本体においてもそれに耐えるようにしなければならない。よって製造コスト増大になり企業においては負担となる。
【０００８】
このように、カートリッジに収納する火薬の量は、この火薬を発火させる撃針の打撃力によって制限されやすく、玩具銃において、大きなブローバックや発砲音を小さな打撃力で発生させることは極めて困難であった。
【０００９】
そこで本発明は上述の課題を解消すべく創出されたもので、玩具銃において、小さな打撃力で大きなブローバックや発砲音を楽しむことが可能な玩具銃のカートリッジの提供を目的とするものである。
【課題を解決するための手段】
【００１０】
上述の目的を達成すべく本発明における第１の手段は、前側に配する弾頭１１と後側に配するケース１２とを螺合して構成するカートリッジ１０内に火薬を収納し、該火薬でカートリッジ１０を後方に移動して玩具銃Ｐにブローバックを発生させる玩具銃のカートリッジにおいて、ケース１２内に導火孔２１を備えた導火栓２０を設け、着火用の着火火薬体３０を導火栓２０より後方に収納し、ブローバックを発生させるブローバック火薬体４０を導火栓２０より前方に収納し、着火火薬体３０を撃針Ｐ２の打撃で発火させると、該着火火薬体３０の発火が導火栓２０の導火孔２１を通してブローバック火薬体４０を発火させるように構成したことにある。
【００１１】
第２の手段において、前記着火火薬体３０及び前記ブローバック火薬体４０は、軟質樹脂製の容器３１、４１内に火薬３２、４２が収納されたキャップ火薬を使用し、前記着火火薬体３０の容器を抵抗少なくすると共に、前記ブローバック火薬体４０の容器はガス漏れが少ないように密着させている。
【００１２】
第３の手段は、前記弾頭１１内部を前後にスライド移動するプラグ５０を設け、該プラグ５０に前記火薬３２、４２から発生した煙を排出する排出孔５１を形成し、前記玩具銃Ｐの銃身Ｐ１内に設けた前撃針６０の後端部を前記弾頭１１の先端に設けた排出孔１４から内部に挿入すると共に、該前撃針６０でブローバック火薬体４０側に押し下げられたプラグ５０の排出孔５１を前撃針６０の後端部で密封し、前記ブローバック火薬体４０の発火で前記カートリッジ１０がブローバックすると前撃針６０からプラグ５０が離れるように構成している。
【００１３】
第４の手段の前記ブローバック火薬体４０は、前記導火栓２０と前記プラグ５０との間に装着され、前記導火栓２０側に火薬４２が配置され、前記プラグ５０側に容器４１が配置されたものである。
【発明の効果】
【００１４】
本発明の請求項１によると、着火火薬体３０を撃針Ｐ２の打撃で発火させると、該着火火薬体３０の発火が導火栓２０の導火孔２１を通してブローバック火薬体４０を発火させるように構成したことにより、小さな打撃力で着火火薬体３０を発火させ、ブローバック火薬体４０で大きなブローバックや発砲音を楽しむことができる。この結果、カートリッジに収納させるキャップ火薬を単に多くする際の打撃を要求される不具合を解消できる。
【００１５】
請求項２によると、着火火薬体３０及びブローバック火薬体４０は、軟質樹脂製の容器３１、４１内に火薬３２、４２が収納されたキャップ火薬を使用しているので、安全性に優れ、交換も容易である。よってカートリッジに収納するキャップ火薬数は容易に増やせる。このことはブローバックの力を増すことにつながる。作動させるのにブローバック力を必要としたライフル型にも応用できる。
【００１６】
請求項３のごとく、ブローバック火薬体４０の発火で前記カートリッジ１０がブローバックするとカートリッジ１０の排出孔１４からプラグ５０が離れるように構成しているので、ブローバック火薬体４０から発生するガスがカートリッジ１０から自動的に排出される。
【００１７】
請求項４のように、ブローバック火薬体４０は、導火栓２０とプラグ５０との間に装着され、導火栓２０側に火薬４２を配置し、プラグ５０側に容器４１を配置しているので、ブローバック火薬体４０の火薬４２は、向い合わせのため導火栓２０の導火孔２１を介して着火火薬体３０の発火に反応し易くなっている。
【００１８】
一方、ブローバック火薬体４０の容器４１は、プラグ５０の排出孔５１を密封する作用を生じるので、高価な密閉材を使用せずにプラグ５０と弾頭１１内を密封することが可能になる。更に、キャップ火薬の性質上、打撃によって発火させると急激なガス圧を発生させるが、着火火薬体３０の発火を介したブローバック火薬体４０の着火によると、急激なガス圧発生とはなりにくい。よって急激なガス圧発生によるカートリッジ１０や玩具銃Ｐ本体の破損を軽減させることができる。
【００１９】
このように、本発明によると、玩具銃において、小さな打撃力で大きなブローバックや発砲音を楽しむことができるといった当初の目的を達成した。
【図面の簡単な説明】
【００２０】
【図１】本発明カートリッジの一実施例を示す側断面図である。
【図２】本発明の装着例を示す一部側断面図である。
【図３】本発明の他の装着例を示す一部側断面図である。
【図４】図３のブローバック開始状態を示す要部断面図である。
【図５】図３のブローバック状態を示す要部断面図である。
【発明を実施するための形態】
【００２１】
以下、本発明の実施例を説明する。本発明カートリッジは、モデルガンから大きなブローバックや発砲音を発生させるものである。すなわち、カートリッジ１０の前側に弾頭１１を配置し、後側にケース１２を配置し、これらをねじ止めして中空のカートリッジ１０を構成する（図１参照）。そして、このカートリッジ１０内に収納した火薬でカートリッジ１０を後方に移動させることで玩具銃Ｐにブローバックを発生させる構成である。
【００２２】
本発明カートリッジは、ブローバックを発生させる玩具銃Ｐに装着するもので、拳銃タイプの玩具銃Ｐ（図２参照）や、長身のライフルタイプの玩具銃Ｐにも適用可能である（図３〜図５参照）。
【００２３】
図示例の着火火薬体３０及びブローバック火薬体４０は、軟質樹脂製の容器３１、４１内に火薬３２、４２が収納されたキャップ火薬を使用している。そして、着火火薬体３０に使用するキャップ火薬を動きやすい円筒内径にし、キャップ火薬４０に使用するキャップ火薬をブローバックさせるために密になる円筒内径にしている。
【００２４】
このようなキャップ火薬を使用した場合の火薬の量は、例えばキャップ火薬の数を変更することで容易に調整することが可能になる。また、本発明で使用する着火火薬体３０及びブローバック火薬体４０は、キャップ火薬に限られるものではなく、火薬３２、４２の量を調整できるものであればどのようなものでも良い。
【００２５】
カートリッジ１０後部側のケース１２には、ケース１２内部を二分する導火栓２０を設けている（図１参照）。図示の導火栓２０は、ねじ止めしたケース１２と弾頭１１との間に挟まれるように固定されている。また、この導火栓２０の中央には、開口した導火孔２１を備えている。
【００２６】
そして、ケース１２内の導火栓２０より後方に着火用の着火火薬体３０を収納し、導火栓２０より前方にブローバック火薬体４０を収納する。このように配置した着火火薬体３０を撃針Ｐ２の打撃で発火させると、着火火薬体３０の発火が導火栓２０の導火孔２１を通してブローバック火薬体４０を発火させるものである（図３参照）。
【００２７】
撃針Ｐ２の打撃で発火させる着火火薬体３０は、ケース１２内の撃針Ｐ２側に容器３１を配置し、導火栓２０側に火薬３２を配置している（図１参照）。この状態で、玩具銃Ｐの撃針Ｐ２がアンビル１３を打撃すると、着火火薬体３０の火薬３２が爆発する。この爆発により、高温・高圧のガスが導火栓２０の導火孔２１を通りブローバック火薬体４０側へと移動する（図３参照）。このとき、導火栓２０の周囲からガスを逃がさないように、導火栓２０の周囲にシール材２２を設置している（図１参照）。
【００２８】
図示の着火火薬体３０は、ケース１２内の撃針Ｐ２側に容器３１を配置し、導火栓２０側に火薬３２を配置することで、着火火薬体３０の容器３１をカートリッジ１０がブローバックする際のガス密閉用に使用することができる。したがって、容器３１を新しい密閉材として絶えず使うことができ、密閉効果を得るための掃除を頻繁にする必要性もない。また、Oリングなどの高価な密閉材を使用する必要もなくなる。
【００２９】
カートリッジ１０の前側、すなわち、弾頭１１内部には、この弾頭１１内部をスライド移動するプラグ５０を設けている（図１参照）。そして、このプラグ５０と導火栓２０との間にブローバック火薬体４０を配置している。
【００３０】
このブローバック火薬体４０が着火して燃焼すると、弾頭１１内で膨張したガスは、プラグ５０を前方に送りながらカートリッジ１０を後方に押し出し始める（図４参照）。更に、弾頭１１内の膨張が続くと玩具銃Ｐの限界位置までカートリッジ１０が移動する（図５参照）。
【００３１】
一方、カートリッジ１０内に発生したガスは、プラグ５０に形成した排出孔５１から、カートリッジ１０の排出孔１４を通してカートリッジ１０の外に排出される（図５参照）。
【００３２】
すなわち、ブローバック火薬体４０着火前のプラグ５０の位置は、予めブローバック火薬体４０側に押し下げられた位置に設置されている（図３参照）。このとき、プラグ５０の排出孔５１は、前撃針６０にて封止された状態にある。
【００３３】
この前撃針６０は、玩具銃Ｐの銃身Ｐ１内に設けられている棒状の部材で、この前撃針６０の後端部６１を、前記弾頭１１の先端側に形成した排出孔１４から弾頭１１の内部に挿入するものである（図１参照）。更に、この後端部６１によりプラグ５０をブローバック火薬体４０側に押し下げている。このとき、プラグ５０の排出孔５１を前撃針６０の後端部６１で密封した状態になっている（図３参照）。
【００３４】
そして、ブローバック火薬体４０が発火してカートリッジ１０がブローバックすると、カートリッジ１０が前撃針６０から離れた位置まで後退する（図５参照）。その結果、カートリッジ１０内のガスは、プラグ５０の排出孔５１から弾頭１１の排出孔１４を通して排出されるものである。
【００３５】
図示のブローバック火薬体４０は、導火栓２０側に火薬４２を配置し、プラグ５０側に容器４１を配置したものである（図１参照）。したがって、導火栓２０の導火孔２１を通して来る着火火薬体３０の発火にブローバック火薬体４０の火薬４２が着火し易い向きになっている。また、プラグ５０側の容器４１は、プラグ５０に対する密閉材としての作用も働き、プラグ５０の作動力を効率良く作り出すことができる。
【００３６】
すなわち、ブローバック火薬体４０を構成する容器４１は軟質樹脂で出来ており自身のガス圧によって変形・破損を生じる。但し、この容器４１は四方が囲われているため変形・破損は生じずカートリッジ１０を作動させる。しかし、プラグ５０に排出孔５１を設けているので、容器４１の排出孔５１の位置に孔が開く。そのままだと排出孔５１からガスが逃げてしまうが、前撃針６０の後端部６１が排出孔５１と接している間は圧力が掛かっているのでガス漏れは生じない。
【００３７】
そのため、図示例では、プラグ５０の排出孔５１にテーパー面５２を形成し、このテーパー面５２に前撃針６０の後端部６１を嵌合し圧接させている（図１参照）。そして、排出孔１４から前撃針６０が離れると、排出孔１４からカートリッジ１０内のガスが排出されるものである（図５参照）。
【００３８】
尚、本発明のカートリッジ１０の構成は、図示例に限定されるものではなく、本発明の要旨を変更しない範囲であれば他の形状に変更することも可能である。
【符号の説明】
【００３９】
Ｐ  玩具銃
Ｐ１  銃身
Ｐ２  撃針
１０  カートリッジ
１１  弾頭
１２  ケース
１３  アンビル
１４  排出孔
２０  導火栓
２１  導火孔
２２  シール材
３０  着火火薬体
３１  容器
３２  火薬
４０  ブローバック火薬体
４１  容器
４２  火薬
５０  プラグ
５１  排出孔
５２  テーパー面
６０  前撃針
【要約】
【課題】小さな打撃力で大きな発砲音とブローバックを楽しむことが可能な玩具銃のカートリッジを提供する。
【解決手段】ケース１２内に導火孔２１を備えた導火栓２０を設ける。着火用の着火火薬体３０を導火栓２０より後方のケース１２内に収納する。ブローバックを発生させるブローバック火薬体４０を弾頭１１内に収納する。着火火薬体３０の発火が導火栓２０の導火孔２１を通るように構成する。着火火薬体３０の発火がブローバック火薬体４０を発火させるように構成する。
【選択図】  図１【図１】
0006762597.tif 000002
【図２】
0006762597.tif 000003
【図３】
0006762597.tif 000004
【図４】
0006762597.tif 000005
【図５】
0006762597.tif 000006